(57)【要約】【課題】  入力された文字が視認された場合に、正当な使用者以外に知られることの少ない暗証情報によるセキュリティー処理を行う情報処理装置を提供する。【解決手段】  情報処理装置は、文字列２３ｃと、その文字列２３ｃを入力するために操作された入力装置のキーの識別子２３ｂとを暗証情報として記憶する。そして、文字列と、その文字列を入力するために操作された入力装置のキーの識別子とを装置に記憶された暗証情報と比較することによって、暗証情報の照合を行う。【選択図】  図８
2007164359.tif 000002
【特許請求の範囲】
【請求項１】
少なくとも一部の操作素子が文字入力に用いられる入力手段と、
前記操作素子が操作されると、その操作された操作素子の識別子に従って入力する文字を決定する文字決定手段と、
操作素子の識別子を含む暗証情報を記憶する暗証情報記憶手段と、
前記操作された操作素子の識別子と、前記暗証情報記憶手段に記憶された操作素子の識別子とが一致するか否かを検出することによって前記暗証情報の照合が成功か否かを判断する暗証情報照合手段と
を有することを特徴とする情報処理装置。
【請求項２】
少なくとも一部の操作素子が文字入力に用いられる入力手段と、
前記操作素子が操作されると、その操作された操作素子の識別子に従って入力する文字を決定する文字決定手段と、
操作素子の識別子を含む暗証情報を記憶する暗証情報記憶手段と、
前記操作された操作素子の識別子の一部であって、所定の処理によって取り出された操作素子の識別子と、前記暗証情報記憶手段に記憶された操作素子の識別子とが一致するか否かを検出することによって前記暗証情報の照合が成功か否かを判断する暗証情報照合手段と
を有することを特徴とする情報処理装置。
【請求項３】
前記文字を表示する表示手段を更に有し、
前記入力手段の少なくとも一部の操作素子に異なる複数の文字が割り当てられ、
前記文字決定手段は、前記操作素子が１回または複数回操作されると、その操作回数に従って前記割り当てられた文字を第１の表示順に前記表示手段に表示し、前記操作素子が１回または複数回操作された後、前記操作素子とは異なる第２の操作素子が１回または複数回操作されると、その操作回数に従って前記割り当てられた文字を前記第１の表示順と異なる第２の表示順に前記表示手段に表示し、前記表示手段に文字が表示されている際、前記操作素子と前記第２の操作素子の何れとも異なる第３の操作素子が操作されると、前記表示手段に表示されている文字を入力すると決定する
ことを特徴とする請求項１または請求項２に記載の情報処理装置。
【請求項４】
少なくとも一部の操作素子が文字入力に用いられる入力手段と、
前記操作素子が操作されると、その操作された操作素子の識別子に従って表音文字を決定し、その表音文字を漢字文字に変換し、その漢字文字を入力すると決定する文字決定手段と、
操作素子の識別子を含む暗証情報を記憶する暗証情報記憶手段と、
前記文字決定手段によって入力する漢字文字が決定されるまでに操作された操作素子の識別子の一部であって、前記文字決定手段によって表音文字が決定されるまでに操作された操作素子の識別子を含む操作素子の識別子と、前記暗証情報記憶手段に記憶された操作素子の識別子とが一致するか否かを検出することによって前記暗証情報の照合が成功か否かを判断する暗証情報照合手段と
を有することを特徴とする情報処理装置。
【発明の詳細な説明】
【技術分野】
【０００１】
本発明は、情報処理装置に係り、特に、暗証情報の処理に関する。
【背景技術】
【０００２】
情報処理装置は暗証情報を記憶し、その装置は、使用者によって入力された暗証情報と、装置内に記憶された暗証情報とを比較し、これらの情報が一致した場合に動作を行うセキュリティー処理が広く知られている。この処理は、例えば、正当でない使用者によって装置内に記憶された情報が閲覧され、または、更新されることを防ぐためである。また、情報処理装置が金融機関の預金残高管理装置であって、正当でない使用者によって預金が引き出されることを防ぐためである。更には、情報処理装置が移動通信端末装置であって、正当でない使用者によって行われた通信に対する課金が発生することを防ぐためである。
【０００３】
暗証情報は、装置の正当な使用者以外に知られにくいことが望ましい。そのため、暗証情報は、数字のみに限らず、英文字及び記号文字等を含むことが望ましい。そこで、たとえ装置の入力装置が数字キーのみからなる小型の装置、例えば、移動通信端末装置であっても、暗証情報は、数字のみに限らず、英文字及び記号文字を含む処理が知られている。（例えば、特許文献１参照。）。
【特許文献１】特開２００２−１４０３０３号公報（第２頁、図１）
【発明の開示】
【発明が解決しようとする課題】
【０００４】
しかしながら、上述した特許文献１に開示されている方法では、数字のみに限らず、英文字及び記号文字を含む文字を入力するので、使用者にとって、いずれの文字が入力されたかが分かり難い。そこで、装置は、たとえ短時間にせよ、入力された文字を装置の表示部に表示する必要がある。そのため、表示された文字が正当な使用者以外の人によって視認され、よって暗証情報が正当な使用者以外の人に知られる可能性がある問題点があった。
【０００５】
この問題点は、装置の入力装置が数字キーのみからなる小型の装置、例えば、移動通信端末装置において大きい。なぜなら、少数の数字キーによって数字のみに限らず、英文字及び記号文字を含む文字を入力するためには多くの回数に渡るキー操作を必要とし、長時間に渡って入力された文字、または、その文字を入力する過程が表示される。そのため、表示された文字が正当な使用者以外の人によって視認される可能性が比較的高いからである。
【０００６】
本発明は上記問題点を解決するためになされたもので、入力された文字が視認された場合に、正当な使用者以外に知られることの少ない暗証情報によるセキュリティー処理を行う情報処理装置を提供することを目的とする。
【課題を解決するための手段】
【０００７】
上記目的を達成するために、本発明の情報処理装置は、少なくとも一部の操作素子が文字入力に用いられる入力手段と、前記操作素子が操作されると、その操作された操作素子の識別子に従って入力する文字を決定する文字決定手段と、操作素子の識別子を含む暗証情報を記憶する暗証情報記憶手段と、前記操作された操作素子の識別子と、前記暗証情報記憶手段に記憶された操作素子の識別子とが一致するか否かを検出することによって前記暗証情報の照合が成功か否かを判断する暗証情報照合手段とを有することを特徴とする。
【０００８】
また、本発明の情報処理装置は、少なくとも一部の操作素子が文字入力に用いられる入力手段と、前記操作素子が操作されると、その操作された操作素子の識別子に従って入力する文字を決定する文字決定手段と、操作素子の識別子を含む暗証情報を記憶する暗証情報記憶手段と、前記操作された操作素子の識別子の一部であって、所定の処理によって取り出された操作素子の識別子と、前記暗証情報記憶手段に記憶された操作素子の識別子とが一致するか否かを検出することによって前記暗証情報の照合が成功か否かを判断する暗証情報照合手段とを有することを特徴とする。
【発明の効果】
【０００９】
本発明によれば、入力された文字が視認された場合に、正当な使用者以外に知られることの少ない暗証情報によるセキュリティー処理を行う情報処理装置を提供することができる。
【発明を実施するための最良の形態】
【００１０】
以下に、本発明による情報処理装置の実施の形態を、図面を参照して説明する。図１は、本発明の実施形態に係る情報処理装置が適用された、折畳み型の移動通信端末装置の上下筐体の折畳みを開いた時の正面の外観を示す図である。この移動通信端末装置は、上筐体ＭＳ１と下筐体ＭＳ２とが、ヒンジ部ＭＳ３によって回動自在に連結されてなる。
【００１１】
上筐体ＭＳ１の内面には、受話に用いられるスピーカ１４ａと、使用者に暗証情報の入力を促す表示や、使用者が入力した暗証情報である文字の表示や、カーソル位置や、装置の動作状態の表示などに用いられるバックライト付きのＬＣＤ（Liquid Crystal Display）からなる表示部１５とが設置されている。
【００１２】
また、下筐体ＭＳ２の内面には、送話に用いられるマイクロフォン１４ｂと、操作素子であるキーパッドからなる入力装置１６とが設けられている。更に、下筐体ＭＳ２の内部には、電波の送受に用いられるアンテナ（図示せず）が設置されている。
【００１３】
図２は、入力装置１６の詳細な外観を示す。入力装置１６は、各機能での確定や選択を指示するために用いられるワープ中央キー１６ａと、ワープ中央キー１６ａに隣接してワープ中央キー１６ａを取り囲んで設置され、そのキーの上下左右の４方向の部分への押下操作が可能で、表示部１５に表示されたカーソル位置の移動指示などに用いられるワープ十字キー１６ｂとを含む。また、下筐体ＭＳ２の内面で表示部１５の近く、即ち、上筐体ＭＳ１の近くに左から右へ設置され、表示部１５に左から右に表示された第１及び第２の機能を選択するために用いられる第１の機能キー１６ｃと、第２の機能キー１６ｄとを含む。また、第３の機能キー１６ｅと、第４の機能キー１６ｆとを含む。
【００１４】
更に、入力装置１６は、通話の開始指示などに用いられる通話キー１６ｇと、誤ったキー操作の取り消し指示などに用いられるクリアキー１６ｈと、電源の投入及び切断指示などに用いられる電源キー１６ｉとを含む。
【００１５】
また、入力装置１６は、１キー１６ｊと、２キー１６ｋと、３キー１６ｍと、４キー１６ｎと、５キー１６ｏと、６キー１６ｐと、７キー１６ｑと、８キー１６ｒと、９キー１６ｓと、＊キー１６ｔと、０キー１６ｕと、＃キー１６ｖとを含む。１キー１６ｊ〜９キー１６ｓ及び０キー１６ｕは、それぞれのキーに、文字「１」〜「９」、または、「０」が表示され、それぞれのキーは数字「１」〜「９」、または、「０」の入力に用いられることを示す。また、＊キー１６ｔには文字「＊」が表示され、そのキーは、記号文字「＊」の入力に用いられることを示し、＃キー１６ｖには文字「＃」が表示され、そのキーは、記号文字「＃」の入力に用いられることを示す。
【００１６】
また、１キー１６ｊ〜９キー１６ｓ、＊キー１６ｔ及び０キー１６ｕは、それぞれのキーに文字「あ」、「か」、「さ」、「た」、「な」、「は」、「ま」、「や」、「ら」、または、「わ、（読点記号文字）。（句点記号文字）ー（長音記号文字）」が表示され、それぞれのキーは、「あ」行のひらがな文字、「か」行のひらがな文字、「さ」行のひらがな文字、「た」行のひらがな文字、「な」行のひらがな文字、「は」行のひらがな文字、「ま」行のひらがな文字、「や」行のひらがな文字、「ら」行のひらがな文字、または、「わ」行のひらがな文字と「、」（読点記号文字）と「。」（句点記号文字）と「ー」（長音記号文字）のトグル方式の入力に用いられることを示す。
【００１７】
また、＊キー１６ｔには「゛」（濁点記号文字）と「゜」（半濁点記号文字）と文字「小」とが表示され、そのキーは、１キー１６ｊ〜９キー１６ｓ、＊キー１６ｔ及び０キー１６ｕを用いて入力されたひらがな文字をトグル方式で濁音文字に変更し、トグル方式で半濁音文字に変更し、または、トグル方式で小文字（例えば、ひらがな文字「あ」に対して「ぁ」、ひらがな文字「つ」に対して「っ」、ひらがな文字「や」に対して「ゃ」であり、後で詳述する。）に変更するため等に用いられることを示す。
【００１８】
更に、１キー１６ｊ〜９キー１６ｓは、それぞれのキーに文字「．＠」、「ＡＢＣ」、「ＤＥＦ」、「ＧＨＩ」、「ＪＫＬ」、「ＭＮＯ」、「ＰＱＲＳ」、「ＴＵＶ」、または、「ＷＸＹＺ」が表示され、それぞれ、「．」と「＠」とを含む記号文字、「Ａ」〜「Ｃ」のアルファベット文字、「Ｄ」〜「Ｆ」のアルファベット文字、「Ｇ」〜「Ｉ」のアルファベット文字、「Ｊ」〜「Ｌ」のアルファベット文字、「Ｍ」〜「Ｓ」のアルファベット文字、「Ｔ」〜「Ｖ」のアルファベット文字、または、「Ｗ」〜「Ｚ」のアルファベット文字のトグル方式の入力に用いられることを示す。ここで、あるアルファベット文字は、大文字に限らず、小文字を含む。
【００１９】
また、＃キー１６ｖには、円弧からなる逆時計回りの矢印が表示され、１キー１６ｊ〜９キー１６ｓ、＊キー１６ｔ及び０キー１６ｕによるトグル方式の入力に際して、文字の出現順を逆にしたトグル方式の入力に用いられることを示す。
【００２０】
ここで、ある行の文字は、清音文字に限らず、濁音文字、半濁音文字及び小文字を含む。ここで、小文字とは、促音文字と拗音文字に限らず、「あ」行の「ぁ」、「ぃ」、「ぅ」、「ぇ」及び「ぉ」文字と、「わ」行の「ゎ」文字とを含む。
【００２１】
図３は、本発明の実施形態に係る移動通信端末装置の構成を示すブロック図である。この移動通信端末装置は、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、文字入力部２１と、暗証情報登録部２２と、暗証情報記憶部２３と、暗証情報照合部２４とからなる。暗証情報記憶部２３には、暗証情報２３ａが記憶される。
【００２２】
図４は、文字入力部２１の詳細な構成を示すブロック図である。文字入力部２１は、制御部１１と接続される文字入力制御部２１ａと、英単語辞書２１ｂと、かな単語辞書２１ｃと、かな漢字変換を行うＦＥＰ（Front End Processor）部２１ｄと、かな漢字変換辞書２１ｅとからなる。
【００２３】
図５は、英単語辞書２１ｂの一例を示す。この英単語辞書２１ｂは、キーの識別子２１ｆと、英単語２１ｇとの組からなる。キーの識別子２１ｆは、１つのキーの識別子か、キーの識別子が連結されたものであり、英単語２１ｇは、アルファベット文字による英単語である。
【００２４】
この英単語辞書２１ｂには、例えば、「７、３、２」、即ち、７キー１６ｑの識別子と、３キー１６ｍの識別子と、２キー１６ｋの識別子とが連結されたキーの識別子２１ｆと、「Ｓｅａ」なる英単語２１ｇとからなる組が記憶されており、７キー１６ｑと、３キー１６ｍと、２キー１６ｋとがこの順に操作されると「Ｓｅａ」なる英単語２１ｇが入力されることを示す。
【００２５】
即ち、キーの識別子２１ｆが２キー１６ｋ〜９キー１６ｓの識別子がｎ個（ここで、ｎ≧１。ｎ個の中に同じキーの識別子が含まれても良く、異なるキーの識別子が含まれても良い。）連結されたものである場合、第ｉ番目（ここで、１≦ｉ≦ｎ。）の識別子が２キー１６ｋ〜９キー１６ｓの識別子のいずれかであると、英単語２１ｇは、第ｉ番目の文字が、その第ｉ番目の識別子で識別される２キー１６ｋ〜９キー１６ｓのいずれかのキーに対応付けられたアルファベット文字「Ａ」〜「Ｃ」と「ａ」〜「ｃ」、「Ｄ」〜「Ｆ」と「ｄ」〜「ｆ」、「Ｇ」〜「Ｉ」と「ｇ」〜「ｉ」、「Ｊ」〜「Ｌ」と「ｊ」〜「ｌ」、「Ｍ」〜「Ｏ」と「ｍ」〜「ｏ」、「Ｐ」〜「Ｓ」と「ｐ」〜「ｓ」、「Ｔ」〜「Ｖ」と「ｔ」〜「ｖ」、または、「Ｗ」〜「Ｚ」と「ｗ」〜「ｚ」のいずれかの文字である英単語である。
【００２６】
図６は、かな単語辞書２１ｃの一例を示す。このかな単語辞書２１ｃは、キーの識別子２１ｈと、かな単語２１ｉとの組からなる。キーの識別子２１ｈは、１つのキーの識別子か、キーの識別子が連結されたものであり、かな単語２１ｉは、ひらがな文字による単語である。
【００２７】
このかな単語辞書２１ｃには、例えば、「１、７」、即ち、１キー１６ｊの識別子と、７キー１６ｑの識別子とが連結されたキーの識別子２１ｈと、「うみ」なるかな単語２１ｉとの組が記憶されており、１キー１６ｊと、７キー１６ｑとがこの順に操作されると「うみ」なるかな単語２１ｉが入力されることを示す。
【００２８】
即ち、キーの識別子２１ｈが１キー１６ｊ〜９キー１６ｓ及び０キー１６ｕの識別子がｎ個（ここで、ｎ≧１。ｎ個の中に同じキーの識別子が含まれても良く、異なるキーの識別子が含まれても良い。）連結されたものである場合、第ｉ番目（ここで、１≦ｉ≦ｎ。）の識別子が１キー１６ｊ〜９キー１６ｓ及び０キー１６ｕの識別子いずれかであると、かな単語２１ｉは、第ｉ番目の文字が、その第ｉ番目の識別子で識別される１キー１６ｊ〜９キー１６ｓ及び０キー１６ｕのいずれかのキーに対応付けられたひらがな文字である、「あ」行のひらがな文字、「か」行のひらがな文字、「さ」行のひらがな文字、「た」行のひらがな文字、「な」行のひらがな文字、「は」行のひらがな文字、「ま」行のひらがな文字、「や」行のひらがな文字、「ら」行のひらがな文字、または、「わ」行のひらがな文字のいずれかの文字であるひらがなで表記された単語である。
【００２９】
ここで、各行の文字には、清音文字のみならず、濁音文字及び半濁音文字を含む。更に、大文字のみならず、小文字（促音文字及び拗音文字を含む。）を含む。
【００３０】
図７は、かな漢字変換辞書２１ｅの一例を示す。このかな漢字変換辞書２１ｅは、よみがな２１ｊと、漢字文字２１ｋとの組からなる。よみがな２１ｊは、ひらがな文字による文字列であり、漢字文字２１ｋは、漢字文字からなる文字であるが、漢字文字に限るものではない。ひらがな文字を含んでも良い。また、かたかな文字を含んでも良く、漢字文字を含まないものでも良い。かな漢字変換辞書２１ｅに記憶されるよみがな２１ｊと、漢字文字２１ｋとの組は、入力装置１６の所定のキーが操作されることによって、追加され、削除され、または、情報が更新される。
【００３１】
このかな漢字変換辞書２１ｅには、例えば、「しょうごう」なるよみがな２１ｊと、「照合」なる漢字文字２１ｋとの組が記憶されており、「しょうごう」なるよみがな２１ｊは、「照合」なる漢字文字２１ｋにかな漢字変換されることを示す。
【００３２】
図８は、暗証情報２３ａの一例を示す。この暗証情報２３ａは、キーの識別子２３ｂと、文字列２３ｃとの組からなり、キーの識別子２３ｂ及び／または文字列２３ｃに情報が記憶されている。キーの識別子２３ｂは、１つのキーの識別子か、キーの識別子が連結されたものであり、文字列２３ｃは、制御文字、記号文字（空白文字を含む）、数字、アルファベット文字、ひらがな文字、かたかな文字、ギリシャ文字、ロシア文字及び漢字文字とを含む、あらゆる文字の任意の組み合わせからなる任意の文字数の文字列である。
【００３３】
この暗証情報２３ａには、第１〜第１７の暗証情報例２３ｄ〜２３ｕからなる、複数組の暗証情報が記憶されているが、暗証情報２３ａには、複数組の暗証情報が記憶されていると限るものではない。装置の正当な使用者が１名の場合、１組の暗証情報が記憶されているとしても良い。また、正当な使用者が複数名の場合、それぞれの使用者に対応して複数組の暗証情報が記憶されているとしても良い。
【００３４】
上記のように構成された、本発明の実施形態に係る移動通信端末装置の各部の動作を、図１ないし図９を参照して説明する。
【００３５】
制御部１１は、装置全体を制御する。制御の一部として、制御部１１は、電源キー１６ｉが操作されることにより電源が投入された際、暗証情報２３ａに情報が記憶されていれば、表示部１５に暗証情報の入力を促す表示をする。そして、この表示に対応して入力装置１６のキーが操作されると、入力装置１６から送信された、操作されたキーの識別子を文字入力部２１に送信して、そのキーの識別子を文字に変換させる。
【００３６】
次に、制御部１１は、文字入力部２１から送信された文字及び入力装置１６から送信されたキーの識別子を暗証情報照合部２４に送信して、照合させる。この照合指示に対応して、暗証情報照合部２４が照合に成功した旨の回答を送信した場合、装置全体を動作させる。また、照合に失敗した旨の回答を送信した場合、表示部１５に、暗証情報が一致しないので再び暗証情報の入力を促す表示をし、上記の暗証情報の照合処理を繰り返す。
【００３７】
通信部１２ｂは、アンテナ１２ａが受信した高周波信号を送受信部１３へ出力し、また、送受信部１３から出力される高周波信号をアンテナ１２ａより送信する。
【００３８】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００３９】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００４０】
表示部１５は、制御部１１に制御されることで、カーソルを含む文字・数字や画像データの表示動作を行い、表示されているデータは、入力装置１６からの入力操作や着信信号に応答して制御部１１からの指示を受けることで切換わる。
【００４１】
入力装置１６は、この装置を構成するキーが押下操作されると、操作されたキーの識別子を制御部１１を経由して文字入力部２１に通知する。後述するように、文字入力部２１は、通知されたキーの識別子に対応して、文字を制御部１１に通知し、その通知された文字、及び／または、入力装置１６によって送信されたキーの識別子に従って、制御部１１は、表示部１５に文字を表示し、または、制御を行う。なお、入力装置１６は、ワープ十字キー１６ｂが上下左右いずれかの方向に操作された場合、操作された上下左右方向を識別可能なワープ十字キー１６ｂの識別子を送信する。
【００４２】
なお、複数のキーが同時に操作された場合、入力装置１６は、それらのキーのいずれが操作された場合と異なる識別子を通知するが、これに限るものではない。例えば、それらのキーが１つづつ操作された場合と同じ識別子の列を通知するとしても良い。また、キーの識別子を通知しないとしても良い。
【００４３】
文字入力部２１は、入力装置１６のキーが操作されると、そのキーの識別子を受信し、受信された識別子から入力する文字を決定し、決定された文字を制御部１１を経由して装置の各部に送信する。各部への送信には、表示部１５に送信して表示させることを含む。ここで、文字には、１バイト符号で表現される制御文字、記号文字（空白文字を含む）、数字、アルファベット文字及びかたかな文字（１バイト符号で表現される文字は、半角文字と称されることがある。）と、２バイト符号で表現される記号文字（空白文字を含む）、数字、アルファベット文字、ひらがな文字、かたかな文字、ギリシャ文字、ロシア文字及び漢字文字（２バイト符号で表現される文字は、全角文字と称されることがある。）とを含む。
【００４４】
暗証情報登録部２２は、制御部１１によって起動され、文字入力部２１から送信された文字と、入力装置１６から送信された、その文字が入力された際に操作された入力装置１６のキーの識別子とを受信する。そして、受信された文字及び／またはキーの識別子を暗証情報２３ａとして暗証情報記憶部２３に暗証情報２３ａとして格納する。受信された文字とキーの識別子の両方を格納するか、いずれかを格納するかは、制御部１１からの指示による。この指示は、制御部１１によって決定され、または、入力装置１６の所定のキー操作によって決定され、制御部１１内に記憶される。
【００４５】
暗証情報登録部２２は、受信されたキーの識別子を変更して暗証情報２３ａとして格納しても良い。変更の種類として、例えば、以下のものがある。第１に、所定のキーの識別子に代えて、任意のキーの識別子でよいとすることである。第２に、所定のキーの識別子と、その識別子に続く全てのキーの識別子に代えて、任意個数の任意のキーの識別子でよいとすることである。
【００４６】
これらの変更は、制御部１１からの指示による。この指示は、制御部１１によって決定され、または、入力装置１６の所定のキー操作によって決定される。これらの変更についての詳細は、後述する。
【００４７】
図９は、暗証情報照合部２４の動作のフローチャートを示す。暗証情報照合部２４は、制御部１１によって起動され（ステップＳ２４ａ）、文字入力部２１から送信された文字及び入力装置１６から送信されたキーの識別子を受信する（ステップＳ２４ｂ）。この受信された文字及び／またはキーの識別子が暗証情報記憶部２３に記憶された暗証情報２３ａと一致するかを比較する（ステップＳ２４ｃ）。
【００４８】
比較の結果、両者が一致すれば（ステップＳ２４ｃの「ＹＥＳ」）、暗証情報照合部２４は、照合に成功した旨の回答を制御部１１に送信し（ステップＳ２４ｄ）、一方、一致しなければ（ステップＳ２４ｃの「ＮＯ」）、照合に失敗した旨の回答を制御部１１に送信して（ステップＳ２４ｅ）、動作を終了する（ステップＳ２４ｆ）。
【００４９】
ステップＳ２４ｃの比較の際、暗証情報照合部２４は、必ずしも完全一致でなくとも一致と判断することがある。例えば、暗証情報２３ａに任意のキーの１個の識別子である旨が記憶されていれば、入力装置１６から送信されたキーの識別子がいずれのキーの識別子であってもそれらの識別子は一致すると判断する。暗証情報２３ａに任意のキーの任意個の識別子である旨が記憶されていれば、暗証情報照合部２４は、入力装置１６から送信されたキーの識別子と、その識別子の数に依らず、それらの識別子は一致すると判断する。
【００５０】
以下、本実施形態に係る移動通信端末装置の暗証情報の入力に関する文字入力部２１の動作を図４ないし図８を参照して説明する。
【００５１】
文字入力制御部２１ａは、制御部１１から入力装置１６のキーの識別子を受信し、受信された識別子から入力する文字を決定し、決定された文字を制御部１１に送信する。この文字の決定に際し、文字入力制御部２１ａは、英単語辞書２１ｂを参照し、かな単語辞書２１ｃを参照し、更には、ＦＥＰ部２１ｄを制御して、かな漢字変換辞書２１ｅを参照したかな漢字変換処理をさせることがある。
【００５２】
まず、文字入力部２１のカーソル位置の制御及び文字の消去の動作を説明する。文字入力制御部２１ａは、入力装置１６の次のキー操作によって入力された文字が表示部１５に表示される位置にカーソルを置き、カーソルが置かれた位置を、例えば、下線を表示することによって示す。文字入力制御部２１ａは、文字が入力されることに従ってカーソル位置を移動する。移動方向の説明のため、以後、横書きで左から右に入力された文字が表示される場合を例にとるが、これに限るものではない。右から左に入力された文字が表示されても良く、また、縦書きであっても良い。
【００５３】
文字入力制御部２１ａは、文字が入力されることに従って、カーソル位置を入力された文字の幅づつ、右に移動する。そして、カーソル位置が行の右端に位置していれば、次の行の左端に移動する。また、カーソル位置をワープ十字キー１６ｂが上方向に操作された場合上へ、下方向に操作された場合下へ、それぞれ１行の高さづつ移動する。また、左方向に操作された場合左へ、右方向に操作された場合右へ、それぞれ１文字の幅づつ移動する。
【００５４】
文字入力制御部２１ａは、クリアキー１６ｈが操作されると、カーソルが位置する文字の表示を消去する。その消去された文字以降、即ち、右及び下の行に表示された文字を消去された文字の大きさ分、左に移動させる。そして、カーソル位置は変更しない。
【００５５】
次に、文字入力部２１の文字入力の動作を説明する。文字入力部２１は、以下の７通りの方式で文字入力の動作を行う。
【００５６】
第１に、数字入力方式である。数字入力方式による場合、文字入力制御部２１ａは、１キー１６ｊ〜９キー１６ｓ、＊キー１６ｔ、０キー１６ｕまたは＃キー１６ｖが操作されると、それぞれのキーに対応づけられた文字「１」〜「９」、「＊」、「０」または「＃」を表示部１５のカーソル位置に表示し、その文字を入力すると決定する。
【００５７】
第２に、トグル式英数字入力方式である。トグル式英数字入力方式による場合、文字入力制御部２１ａは、１キー１６ｊが１回または複数回操作されると、そのキーに表示された記号文字である「．」と「＠」を含む記号文字を操作回数に応じて所定の順で、循環して表示部１５のカーソル位置に仮表示する。また、１キー１６ｊが１回以上操作された後、＃キー１６ｖが１回または複数回操作されると、上記「．」と「＠」を含む記号文字を操作回数に応じて上記所定の順と逆の順で、循環して表示部１５のカーソル位置に仮表示する。更に、＊キー１６ｔが操作されると、操作の回数によらず、表示部１５の表示を変化させない。
【００５８】
そして、ワープ中央キー１６ａ、２キー１６ｋ〜９キー１６ｓ及び０キー１６ｕのいずれかのキーが操作される、または、所定の時間に渡ってキー操作が行われないと、文字入力制御部２１ａは、仮表示されていた文字を表示して、その文字を入力すると決定する。
【００５９】
ここで、仮表示は、入力の過程で行われる文字の表示であり、入力すると決定した文字の表示とは異なる表示形態を取る。例えば、その文字が表示される領域が所定の背景色で表示されるが、これに限るものではない。なお、カーソル位置は、仮表示された文字に置かれ、仮表示された文字が変化した際、カーソル位置は変化しない。仮表示された文字が仮表示でない表示がされた際、移動する。
【００６０】
文字入力制御部２１ａは、２キー１６ｋが１回または複数回操作されると、そのキーに表示された「Ａ」〜「Ｃ」のアルファベット文字の大文字と小文字及び数字「２」を操作回数に応じて所定の順で、循環して表示部１５のカーソル位置に仮表示する。また、２キー１６ｋが１回以上操作された後、＃キー１６ｖが１回または複数回操作されると、上記「Ａ」〜「Ｃ」のアルファベット文字の大文字と小文字及び数字「２」を上記操作回数に応じて所定の順と逆の順で、循環して表示部１５のカーソル位置に仮表示する。
【００６１】
また、アルファベット文字が表示部１５に仮表示されている際に＊キー１６ｔが操作されると、文字入力制御部２１ａは、仮表示されている文字が大文字であれば同じ文字の小文字に、仮表示されている文字が小文字であれば同じ文字の大文字に循環して表示部１５のカーソル位置に仮表示する。
【００６２】
そして、ワープ中央キー１６ａ、１キー１６ｊ、３キー１６ｍ〜９キー１６ｓ及び０キー１６ｕのいずれかのキーが操作される、または、所定の時間に渡ってキー操作が行われないと、文字入力制御部２１ａは、仮表示されていた文字を表示して、その文字を入力すると決定する。
【００６３】
文字入力制御部２１ａは、３キー１６ｍ〜９キー１６ｓが操作された場合、上記２キー１６ｋが操作された場合と同様な動作をする。即ち、それぞれのキーに表示されたアルファベット文字の大文字と小文字及び数字の仮表示を行い、そして、ワープ中央キー１６ａ、１キー１６ｊ〜９キー１６ｓ及び０キー１６ｕの中で、それぞれのキー以外のキーが操作された、または、所定の時間に渡ってキー操作が行われない場合、仮表示されていた文字を表示して、その文字を入力すると決定する。
【００６４】
文字入力制御部２１ａは、０キー１６ｕが操作された場合、操作された回数に依存せず、数字「０」を表示部１５のカーソル位置に仮表示する。また、０キー１６ｕが１回以上操作された後、＊キー１６ｔまたは＃キー１６ｖが１回または複数回操作されると、操作の回数によらず、表示部１５の仮表示を変化させない。
【００６５】
そして、ワープ中央キー１６ａ、及び、１キー１６ｊ〜９キー１６ｓのいずれかのキーが操作されると、または、所定の時間に渡ってキー操作が行われないと、文字入力制御部２１ａは、仮表示されていた数字「０」を表示して、その文字を入力すると決定する。
【００６６】
第３に、代表文字入力による英単語入力方式である。代表文字入力による英単語入力方式による場合、文字入力制御部２１ａは、２キー１６ｋ〜９キー１６ｓがｎ回（ここで、ｎ≧１。同じキーが操作されても良く、異なるキーが操作されても良い。）操作されると、ｎ個の操作されたキーの識別子を操作された順に連結し、その連結された識別子とキーの識別子２１ｆとが等しい情報の組を英単語辞書２１ｂから検索する。そして、検索された組の英単語２１ｇを表示部１５に仮表示する。
【００６７】
即ち、代表文字入力による英単語入力方式では、２キー１６ｋ〜９キー１６ｓのそれぞれのキーに割り当てられた全てのアルファベット文字を代表する、それらの文字の中で最初の文字（例えば、「Ａ」〜「Ｃ」の中では「Ａ」。）を入力することと類似のキー操作によって、割り当てられた全てのアルファベット文字の中の適切な文字を入力することができる。
【００６８】
検索された組の英単語２１ｇを表示部１５に仮表示する際、検索された英単語２１ｇは、存在しないこと、１つ存在すること、そして、複数存在することのいずれかである。図５に示す英単語辞書２１ｂの一例では、７キー１６ｑと、３キー１６ｍと、２キー１６ｋとがこの順に操作されると「Ｓｅａ」、「Ｓｅｃ］及び「Ｒｅｃ」なる３つの英単語２１ｇが検索される。
【００６９】
次に、文字入力制御部２１ａは、検索された英単語２１ｇが存在しない場合、第１〜ｎ−１回の操作が行われたと仮定して、上記キーの識別子の連結と、連結された識別子を検索キーとする英単語２１ｇの検索と、検索された英単語２１ｇの仮表示を行う。この第１〜ｎ−１回の操作を仮定しても、更に、検索された英単語２１ｇが存在しない場合、第１〜ｎ−２回の操作が行われたとして、上記の処理を行う。そして、この処理によっても、検索された英単語２１ｇが存在しない場合、第１〜ｎ−３回の操作が行われたとして、順次操作された回数を減らして処理をする。
【００７０】
検索された英単語２１ｇが１つ存在する場合、文字入力制御部２１ａは、検索された英単語２１ｇを表示部１５に表示して、入力すると決定する。検索された英単語２１ｇが複数存在する場合、文字入力制御部２１ａは、ワープ十字キー１６ｂの上向き操作と下向き操作によって、その複数の英単語２１ｇの中の１つを順次仮表示する。ここで、仮表示される順は、例えば、学習機能による。即ち、最近入力された英単語２１ｇを最初に仮表示する。
【００７１】
そして、ワープ中央キー１６ａ、１キー１６ｊ、３キー１６ｍ〜９キー１６ｓ及び０キー１６ｕのいずれかのキーが操作されると、もしくは、所定の時間に渡ってキー操作が行われないと、文字入力制御部２１ａは、仮表示されていた英単語２１ｇを表示して、その英単語２１ｇの文字を入力すると決定する。
【００７２】
第４に、トグル式かな入力方式である。トグル式かな入力方式による場合、文字入力制御部２１ａは、１キー１６ｊが１回または複数回操作されると、そのキーに表示された「あ」行の文字、即ち、「あ」〜「お」及び「ぁ」〜「ぉ」の中の１つを操作回数に応じてこの順で、循環して表示部１５のカーソル位置に仮表示する。
【００７３】
また、１キー１６ｊが１回以上操作された後、＃キー１６ｖが１回または複数回操作されると、文字入力制御部２１ａは、上記「あ」行の文字を操作回数に応じて上記の順と逆の順で、循環して表示部１５のカーソル位置に仮表示する。
【００７４】
更に、文字が表示部１５に仮表示されている際に＊キー１６ｔが操作されると、文字入力制御部２１ａは、表示部１５に仮表示されている文字が大文字（「あ」〜「お」）であれば同じ文字の小文字（「ぁ」〜「ぉ」）に、仮表示されている文字が小文字であれば同じ文字の大文字に循環して表示部１５のカーソル位置に仮表示する。
【００７５】
そして、ワープ中央キー１６ａ、２キー１６ｋ〜９キー１６ｓ及び０キー１６ｕのいずれかのキーが操作されると、または、所定の時間に渡ってキー操作が行われないと、文字入力制御部２１ａは、仮表示されていた文字を表示して、その文字を入力すると決定する。
【００７６】
文字入力制御部２１ａは、２キー１６ｋが１回または複数回操作されると、そのキーに表示された「か」行の文字、即ち、「か」〜「こ」の中の１つを操作回数に応じてこの順で、循環して表示部１５のカーソル位置に仮表示する。また、２キー１６ｋが１回以上操作された後、＃キー１６ｖが１回または複数回操作されると、上記「か」行の文字を上記操作回数に応じて上記の順と逆の順で、循環して表示部１５のカーソル位置に仮表示する。
【００７７】
また、文字が表示部１５に仮表示されている際に＊キー１６ｔが操作されると、文字入力制御部２１ａは、仮表示されている文字が清音文字（「か」〜「こ」）であればその文字に対応する濁音文字（「が」〜「ご」）に、仮表示されている文字が濁音文字であればその文字に対応する清音文字に循環して表示部１５のカーソル位置に仮表示する。
【００７８】
そして、ワープ中央キー１６ａ、１キー１６ｊ、３キー１６ｍ〜９キー１６ｓ及び０キー１６ｕのいずれかのキーが操作されると、または、所定の時間に渡ってキー操作が行われないと、文字入力制御部２１ａは、仮表示されていた文字を表示して、その文字を入力すると決定する。
【００７９】
文字入力制御部２１ａは、３キー１６ｍ〜９キー１６ｓが操作された場合、上記２キー１６ｋが操作された場合と同様な動作をする。即ち、それぞれのキーに表示されたかな文字の行の文字をトグル式に仮表示し、そして、ワープ中央キー１６ａ、１キー１６ｊ〜９キー１６ｓ及び０キー１６ｕの中で、それぞれのキー以外のキーが操作された場合、または、所定の時間に渡ってキー操作が行われない場合、仮表示された文字を表示して、その文字を入力すると決定する。
【００８０】
ただし、４キー１６ｎが操作された場合、「た」行の清音文字は、「た」〜「と」及び「っ」（促音文字）である。また、「つ」及び「っ」が仮表示されている際に＊キー１６ｔが操作されると、文字入力制御部２１ａは、「つ」、「づ」、「っ」の順で文字を循環して表示部１５のカーソル位置に仮表示する。
【００８１】
また、５キー１６ｏ、７キー１６ｑ及び９キー１６ｓが操作された場合、「な」行、「ま」行及び「ら」行には濁音文字がないので、＊キー１６ｔが操作されると、文字入力制御部２１ａは、操作の回数によらず、表示部１５の仮表示を変化させない。
【００８２】
また、６キー１６ｐが操作された場合、「は」行には濁音文字に加えて半濁音文字があるので、「は」行の文字が仮表示されている際に＊キー１６ｔが操作されると、文字入力制御部２１ａは、清音文字、濁音文字、半濁音文字の順で文字を循環して表示部１５のカーソル位置に仮表示する。
【００８３】
また、８キー１６ｒが操作された場合、文字入力制御部２１ａは、１キー１６ｊが操作された場合と同様の動作をする。ただし、「や」行の清音文字は、「や」、「ゆ」、「よ」、「ゃ」、「ゅ」及び「ょ」である。そして、大文字は、「や」、「ゆ」及び「よ」であり、小文字は、「ゃ」、「ゅ」及び「ょ」（拗音文字）である。
【００８４】
また、０キー１６ｕが操作された場合、文字入力制御部２１ａは、１キー１６ｊが操作された場合と同様の動作をする。ただし、「わ」行の清音文字は、「わ」、「を」、「ん」及び「ゎ」に加えて、読点記号文字及び句点記号文字を含む所定の記号文字である。そして、大文字「わ」または小文字「ゎ」が仮表示されている際に＊キー１６ｔが操作されると、文字入力制御部２１ａは、「わ」及び「ゎ」を循環して仮表示する。
【００８５】
第５に、トグル式かな入力に従った漢字入力方式である。トグル式かな入力に従った漢字入力方式による場合、文字入力制御部２１ａは、上記説明したトグル式かな入力方式による場合と類似した動作を行う。動作の相違点は、以下の点である。即ち、トグル式かな入力方式による場合、１キー１６ｊ〜９キー１６ｓ及び０キー１６ｕのいずれかのキーが操作され、その操作に従ってひらがな文字が表示部１５に仮表示されている際、ワープ中央キー１６ａ、１キー１６ｊ〜９キー１６ｓ及び０キー１６ｕのいずれかのキーであって、その操作されたキー以外のキーが操作されると仮表示されていた文字を表示して、その文字を入力すると決定する。
【００８６】
一方、トグル式かな入力に従った漢字入力方式による場合、文字入力制御部２１ａは、上記１キー１６ｊ〜９キー１６ｓ及び０キー１６ｕのいずれかのキーであって、その操作されたキー以外のキーが操作されると、その新たに操作されたキーの操作に従って、新たにひらがな文字を仮表示する。そして、カーソルを、その新たに仮表示された文字の位置に置く。
【００８７】
そして、任意個の文字が仮表示されている際、ワープ十字キー１６ｂの上向き操作または下向き操作が行われると、文字入力制御部２１ａは、ＦＥＰ部２１ｄを制御して、仮表示されている文字とよみがな２１ｊとが等しい組をかな漢字変換辞書２１ｅから検索させ、検索された組の漢字文字２１ｋの一覧を得る。そして、新たなウインドウを表示部１５に表示し、そのウインドウにＦＥＰ部２１ｄから送信された漢字文字２１ｋの一覧を横書きに表示する。そして、ワープ十字キー１６ｂの上向き操作または下向き操作が行われると、その一覧で、カーソル位置を１行上または下に移動する。そして、ワープ中央キー１６ａが操作されると、または、所定の時間に渡ってキー操作が行われないと、カーソルが置かれた漢字文字２１ｋを表示して、その文字を入力すると決定する。
【００８８】
ここで、ＦＥＰ部２１ｄは、検索された組の漢字文字２１ｋの一覧における順を、学習機能によって決定する。即ち、最近入力された漢字文字２１ｋを冒頭に置く。そして、文字入力制御部２１ａは、上記新たなウインドウが表示された際、カーソルをその冒頭に表示された漢字文字２１ｋに置く。そのため、検索された組の漢字文字２１ｋの一覧における順は、常に一定ではない。
【００８９】
ＦＥＰ部２１ｄは、入力装置１６の所定のキーが操作されることによって、かな漢字変換辞書２１ｅに記憶されるよみがな２１ｊと、漢字文字２１ｋとの組を追加し、削除し、または、情報を更新する。この追加、削除によって、検索された組の漢字文字２１ｋの一覧における順が、変更される。
【００９０】
また、トグル式かな入力に従った漢字入力方式による場合、＊キー１６ｔが操作されると、文字入力制御部２１ａは、入力可能な全ての文字の一覧を表形式で表示部１５に表示する。そして、ワープ十字キー１６ｂの上下左右向き操作が行われると、その一覧で、カーソル位置を上下左右に移動する。そして、ワープ中央キー１６ａが操作されると、または、所定の時間に渡ってキー操作が行われないと、カーソルが置かれた文字を入力すると決定する。なお、制御文字を表示することは困難であるので、制御文字に代えて、その制御文字を示す図形を表示する。更に、＃キー１６ｖが操作されると、文字入力制御部２１ａは、改行を示す制御文字を入力すると決定する。
【００９１】
第６に、代表文字入力によるかな入力方式である。代表文字入力によるかな入力方式による場合、文字入力制御部２１ａは、１キー１６ｊ〜９キー１６ｓ及び０キー１６ｕのいずれかのキーがｎ回（ここで、ｎ≧１。同じキーが操作されても良く、異なるキーが操作されても良い。）操作されると、ｎ個の操作されたキーの識別子を操作された順に連結し、その連結された識別子とキーの識別子２１ｈとが等しい情報の組をかな単語辞書２１ｃから検索する。
【００９２】
そして、検索された組のかな単語２１ｉを表示部１５に仮表示する。ここで、検索されたかな単語２１ｉは、存在しないこと、１つ存在すること、そして、複数存在することのいずれかである。図６に示すかな単語辞書２１ｃの一例では、１キー１６ｊと、７キー１６ｑとがこの順に操作されると「うみ」及び「いま」なる２つのかな単語２１ｉが検索される。
【００９３】
次に、文字入力制御部２１ａは、検索されたかな単語２１ｉが存在しない場合、第１〜ｎ−１回の操作が行われたと仮定して、上記組合せによる文字列作成と、その文字列の中でかな単語辞書２１ｃに記憶されているかな単語２１ｉの仮表示を行う。この第１〜ｎ−１回の操作を仮定しても、更に、検索されたかな単語２１ｉが存在しない場合、第１〜ｎ−２回の操作が行われたとして、上記の処理を行う。そして、この処理によっても、上記文字列が存在しない場合、第１〜ｎ−３回の操作が行われたとして、順次操作された回数を減らして処理をする。
【００９４】
検索されたかな単語２１ｉが１つ存在する場合、文字入力制御部２１ａは、検索されたかな単語２１ｉを表示部１５に表示して、その文字を入力すると決定する。検索されたかな単語２１ｉが複数存在する場合、文字入力制御部２１ａは、ワープ十字キー１６ｂの上向き操作と下向き操作によって、その複数のかな単語２１ｉの中の１つを順次仮表示する。ここで、仮表示される順は、例えば、学習機能による。即ち、最近入力されたかな単語２１ｉを最初に仮表示する。
【００９５】
そして、ワープ中央キー１６ａ、１キー１６ｊ、３キー１６ｍ〜９キー１６ｓ及び０キー１６ｕのいずれかのキーが操作されると、もしくは、所定の時間に渡ってキー操作が行われないと、文字入力制御部２１ａは、仮表示されていたかな単語２１ｉを表示して、その文字を入力すると決定する。
【００９６】
第７に、代表文字入力によるかな入力に従った漢字入力方式である。代表文字入力によるかな入力に従った漢字入力方式による場合、文字入力制御部２１ａは、上記説明した代表文字入力によるかな入力方式による場合と類似した動作を行う。前者での動作と、後者での動作の相違点は、トグル式かな入力に従った漢字入力方式での動作と、トグル式かな入力方式での動作との相違点と等しいので、説明を省略する。
【００９７】
以上説明した、第１〜第７の入力方式のいずれの方式によって文字を入力するかは、文字の入力を要求する処理部、例えば、暗証情報照合部２４によって決定されるが、これに限るものではない。例えば、入力装置１６の所定のキー操作によって切り替えられるとしても良い。この入力方式を切り替えるために操作されたキーの識別子は、暗証情報２３ａのキーの識別子２３ｂに含まれるが、これに限るものではない。含まれないとしても良い。
【００９８】
上記説明したように、入力された文字及びその文字を入力するために操作されたキーの識別子とを暗証情報とすることにより、表示部１５に表示された暗証情報の一部である文字が視認されたとしても、その文字が入力される際に行われた全てのキー操作が視認される可能性は低く、暗証情報が正当な使用者以外に知られる可能性を低くすることができる。
【００９９】
図８に示す暗証情報２３ａを参照して、暗証情報が正当な使用者以外に知られる可能性を低くする方法を具体的に説明する。第１の暗証情報例２３ｄ及び第２の暗証情報例２３ｅは、数字入力方式によって暗証情報を入力する例であって、第１の暗証情報例２３ｄは、キーの識別子２３ｂとして「１、２」、即ち、１キー１６ｊと、２キー１６ｋとがこの順で操作されることと、文字列２３ｃ「１２」とが暗証情報である例を示す。
【０１００】
第２の暗証情報例２３ｅは、キーの識別子２３ｂとして、「１、１、左、ＣＬＥＡＲ、２」、即ち、１キー１６ｊと、１キー１６ｊと、ワープ十字キー１６ｂの左方向操作と、クリアキー１６ｈと、２キー１６ｋとがこの順で操作されたこと、文字列２３ｃ「１２」が暗証情報である例を示す。この第２の暗証情報例２３ｅでは、入力された文字列２３ｃは「１２」であって、第１の暗証情報例２３ｄと同じであるが、キーの識別子２３ｂを暗証情報として用いることによって、暗証情報が正当な使用者以外に知られる可能性を低くすることができる。
【０１０１】
即ち、このキーの識別子２３ｂは、単に１キー１６ｊと、２キー１６ｋとがこの順で操作されたことではないので、表示部１５に表示された文字列２３ｃ「１２」が視認されたとしても、第２の暗証情報例２３ｅが正当な使用者以外に知られる可能性は低い。
【０１０２】
また、ワープ十字キー１６ｂの操作によって、カーソル位置を移動させることによって、暗証情報が正当な使用者以外に知られる可能性を低くすることができる。例えば、ワープ十字キー１６ｂを左向き操作し、次に右向き操作する容易な操作によって、キーの識別子２３ｂを異なる情報とすることができ、暗証情報が正当な使用者以外に知られる可能性を低くすることができる。
【０１０３】
第３の暗証情報例２３ｆ及び第４の暗証情報例２３ｇは、代表文字入力による英単語入力方式によって暗証情報を入力する例であって、第３の暗証情報例２３ｆは、キーの識別子２３ｂとして情報が記憶されておらず、即ち、キー操作は任意であり、文字列２３ｃ「Ｓｅａ」が暗証情報である例を示す。
【０１０４】
文字列２３ｃ「Ｓｅｃ」を入力する際、図５に一例を示す英単語辞書２１ｂによれば、７キー１６ｑと、３キー１６ｍと、２キー１６ｋとがこの順で操作されて、３つの英単語２１ｇが検索され、検索された「Ｓｅａ」、「Ｓｅｃ」及び「Ｒｅｃ」の中の１つがワープ十字キー１６ｂが上方向または下方向に操作されることによって順次表示部１５に仮表示される。そして、「Ｓｅａ」が仮表示されている際にワープ中央キー１６ａが操作されて「Ｓｅａ」が入力されるが、これらの操作は暗証情報として用いられない。
【０１０５】
一方、第４の暗証情報例２３ｇは、キーの識別子２３ｂとして「７、３、２、下、下、中」、即ち、７キー１６ｑと、３キー１６ｍと、２キー１６ｋと、ワープ十字キー１６ｂの下方向操作と、ワープ十字キー１６ｂの下方向操作と、ワープ中央キー１６ａとがこの順で操作されたことが記憶され、このキーの識別子２３ｂが暗証情報であり、文字列２３ｃとして情報が記憶されていないので、入力された文字は暗証情報として用いられない例を示す。このキーの識別子２３ｂによれば、英単語辞書２１ｂに記憶された英単語２１ｇ「Ｓｅａ」、「Ｓｅｃ」及び「Ｒｅｃ」の中の１つが入力されたが、いずれの英単語２１ｇが入力されたかは、学習機能があるため不定である。更に、入力された英単語２１ｇは暗証情報として用いられないため、表示部１５を視認されても暗証情報が正当な使用者以外に知られる可能性を低くすることができる。
【０１０６】
第５の暗証情報例２３ｈ及び第６の暗証情報例２３ｉは、トグル式かな入力方式によって暗証情報を入力する第１の例であって、第５の暗証情報例２３ｈは、キーの識別子２３ｂとして「６、６、５、５、５、５、５、中」、即ち、６キー１６ｐ、６キー１６ｐ、５キー１６ｏ、５キー１６ｏ、５キー１６ｏ、５キー１６ｏ、５キー１６ｏ、ワープ中央キー１６ａがこの順で操作されることと、文字列２３ｃ「ひの」とが暗証情報である。第５の暗証情報例２３ｈでは、文字「ひ」及び文字「の」の入力に際して、トグル式入力における文字の仮表示の順を所定の順でのみ用いている。
【０１０７】
一方、第６の暗証情報例２３ｉは、キーの識別子２３ｂとして「６、＃、＃、＃、＃、５、＃、中」、即ち、６キー１６ｐ、＃キー１６ｖ、＃キー１６ｖ、＃キー１６ｖ、＃キー１６ｖ、５キー１６ｏ、＃キー１６ｖ、ワープ中央キー１６ａがこの順で操作されることと、文字列２３ｃ「ひの」とが暗証情報である。第６の暗証情報例２３ｉでは、文字「ひ」及び文字「の」の入力に際して、トグル式入力における文字の仮表示の順を所定の順の逆順でのみ用いている。そのため、表示部１５の表示を視認されてもキーの識別子２３ｂを容易に知ることはできず、暗証情報が正当な使用者以外に知られる可能性を低くすることができる。
【０１０８】
第７の暗証情報例２３ｊ、第８の暗証情報例２３ｋ及び第９の暗証情報例２３ｍは、トグル式かな入力方式によって暗証情報を入力する第２の例であって、第７の暗証情報例２３ｊは、キーの識別子２３ｂとして「３、３、８、８、８、８、８、８、１、１、１、２、２、２、２、２、＊、１、１、１、中」、即ち、３キー１６ｍ、３キー１６ｍ、８キー１６ｒ、８キー１６ｒ、８キー１６ｒ、８キー１６ｒ、８キー１６ｒ、８キー１６ｒ、１キー１６ｊ、１キー１６ｊ、１キー１６ｊ、２キー１６ｋ、２キー１６ｋ、２キー１６ｋ、２キー１６ｋ、２キー１６ｋ、＊キー１６ｔ、１キー１６ｊ、１キー１６ｊ、１キー１６ｊ、ワープ中央キー１６ａがこの順で操作されることと、文字列２３ｃ「しょうごう」とが暗証情報である。第７の暗証情報例２３ｊでは、文字列２３ｃの全ての文字の入力に際して、トグル式入力における文字の仮表示の順を所定の順でのみ用いている。
【０１０９】
第８の暗証情報例２３ｋは、キーの識別子２３ｂとして「３、３、８、＃、１、１、１、２、＃、＊、１、１、１、中」、即ち、３キー１６ｍ、３キー１６ｍ、８キー１６ｒ、＃キー１６ｖ、１キー１６ｊ、１キー１６ｊ、１キー１６ｊ、２キー１６ｋ、＃キー１６ｖ、＊キー１６ｔ、１キー１６ｊ、１キー１６ｊ、１キー１６ｊ、ワープ中央キー１６ａがこの順で操作されることと、文字列２３ｃ「しょうごう」とが暗証情報である。第７の暗証情報例２３ｊでは、文字列２３ｃの文字「ょ」と、文字「こ」の入力に際して、トグル式入力における文字の仮表示の順を所定の順の逆順を用いている。
【０１１０】
第９の暗証情報例２３ｍは、キーの識別子２３ｂとして「３、３、８、＃、２、＃、＊、１、１、１、左、１、１、１、中」、即ち、３キー１６ｍ、３キー１６ｍ、８キー１６ｒ、＃キー１６ｖ、２キー１６ｋ、＃キー１６ｖ、＊キー１６ｔ、１キー１６ｊ、１キー１６ｊ、１キー１６ｊ、ワープ十字キー１６ｂの左方向操作、１キー１６ｊ、１キー１６ｊ、１キー１６ｊ、ワープ中央キー１６ａがこの順で操作されることと、文字列２３ｃ「しょうごう」とが暗証情報である。第７の暗証情報例２３ｊでは、文字列２３ｃの一部の文字「しょごう」を入力し、その後、ワープ十字キー１６ｂの左方向操作によってカーソル位置を移動させ、文字「う」を入力している。第７の暗証情報例２３ｊ、第８の暗証情報例２３ｋ及び第９の暗証情報例２３ｍで説明したように、文字列２３ｃが等しい場合でも、キーの識別子２３ｂには様々な情報の記憶が可能であり、表示部１５の表示を視認されても、暗証情報が正当な使用者以外に知られる可能性を低くすることができる。
【０１１１】
第１０の暗証情報例２３ｎ及び第１１の暗証情報例２３ｏは、トグル式かな入力に従った漢字入力方式によって暗証情報を入力する第１の例であって、第１０の暗証情報例２３ｎは、キーの識別子２３ｂとして情報が記憶されておらず、キー操作は暗証情報として用いられないことを示す。また、文字列２３ｃ「照合」が暗証情報として用いられることを示す。
【０１１２】
第１１の暗証情報例２３ｏは、キーの識別子２３ｂとして「３、３、８、８、８、８、８、８、１、１、１、２、２、２、２、２、＊、１、１、１、下、中」、即ち、３キー１６ｍ、３キー１６ｍ、８キー１６ｒ、８キー１６ｒ、８キー１６ｒ、８キー１６ｒ、８キー１６ｒ、８キー１６ｒ、１キー１６ｊ、１キー１６ｊ、１キー１６ｊ、２キー１６ｋ、２キー１６ｋ、２キー１６ｋ、２キー１６ｋ、２キー１６ｋ、＊キー１６ｔ、１キー１６ｊ、１キー１６ｊ、１キー１６ｊ、ワープ十字キー１６ｂの下方向操作、ワープ中央キー１６ａがこの順で操作されたことが暗証情報であり、文字列２３ｃには情報が記憶されておらず、暗証情報として用いられない。
【０１１３】
上記第１１の暗証情報例２３ｏのキーの識別子２３ｂは、第７の暗証情報例２３ｊにおけるキーの識別子２３ｂに比較して、ワープ十字キー１６ｂの下方向操作が加わって、第７の暗証情報例２３ｊにおける文字列２３ｃ「しょうごう」がよみがな２１ｊに等しい組が図７に一例を示すかな漢字変換辞書２１ｅから検索されて仮表示され、最初に仮表示された漢字文字２１ｋが入力されたことを示す。しかし、入力された漢字文字２１ｋは、学習機能が動作するため、常に同一とは限らない。そのため、表示部１５の表示を視認されても、暗証情報が正当な使用者以外に知られる可能性を低くすることができる。ここで、ワープ十字キー１６ｂの下方向操作が複数回であっても、入力された漢字文字２１ｋは常に同一とは限らず、同じ効果がある。
【０１１４】
第１２の暗証情報例２３ｐ、第１３の暗証情報例２３ｑ及び第１４の暗証情報例２３ｒは、トグル式かな入力に従った漢字入力方式によって暗証情報を入力する第２の例であって、第１２の暗証情報例２３ｐは、キーの識別子２３ｂとして情報が記憶されておらず、キー操作は暗証情報として用いられないことを示す。また、文字列２３ｃ「暗証」が暗証情報として用いられることを示す。
【０１１５】
第１３の暗証情報例２３ｑは、キーの識別子２３ｂとして「１、０、０、０、３、３、８、＃、１、１、１、下、×」、即ち、１キー１６ｊ、０キー１６ｕ、０キー１６ｕ、０キー１６ｕ、３キー１６ｍ、３キー１６ｍ、８キー１６ｒ、＃キー１６ｖ、１キー１６ｊ、１キー１６ｊ、１キー１６ｊ、ワープ十字キー１６ｂの下方向操作、任意個の任意の操作がこの順で操作されたことが暗証情報であり、文字列２３ｃには情報が記憶されておらず、暗証情報として用いられない。
【０１１６】
この第１３の暗証情報例２３ｑのキーの識別子２３ｂは、ひらがな文字「あんしょう」が入力され、その文字が少なくとも漢字文字に変換されたことを示す。しかし、漢字文字に変換された後、よみがな２１ｊが「あんしょう」と組をなして図７に例示したかな漢字変換辞書２１ｅで記憶された漢字文字２１ｋである「暗証」と「暗礁」とのいずれが入力されたかは暗証情報照合部２４の動作に影響を与えない。そのため、そのため、表示部１５の表示を視認されても、暗証情報が正当な使用者以外に知られる可能性を低くすることができる。
【０１１７】
第１４の暗証情報例２３ｒは、キーの識別子２３ｂとして「１、０、０、０、３、３、８、＃、１、１、１、下、下、下、×」、即ち、１キー１６ｊ、０キー１６ｕ、０キー１６ｕ、０キー１６ｕ、３キー１６ｍ、３キー１６ｍ、８キー１６ｒ、＃キー１６ｖ、１キー１６ｊ、１キー１６ｊ、１キー１６ｊ、ワープ十字キー１６ｂの下方向操作、ワープ十字キー１６ｂの下方向操作、ワープ十字キー１６ｂの下方向操作、任意個の任意の操作がこの順で操作されたことが暗証情報であり、文字列２３ｃには情報が記憶されておらず、暗証情報として用いられない。
【０１１８】
この第１４の暗証情報例２３ｒのキーの識別子２３ｂは、ひらがな文字「あんしょう」が入力され、その文字が漢字文字に変換された後、少なくとも２回のカーソル移動が行われ、異なる変換結果を選択する操作がされたことを示す。しかし、漢字文字に変換された後、よみがな２１ｊが「あんしょう」と組をなしてかな漢字変換辞書２１ｅで記憶された漢字文字２１ｋである「暗証」と「暗礁」とのいずれかが入力されたかは暗証情報照合部２４の動作に影響を与えない。そのため、表示部１５の表示を視認されても、暗証情報が正当な使用者以外に知られる可能性を低くすることができる。
【０１１９】
第１５の暗証情報例２３ｓ、第１６の暗証情報例２３ｔ及び第１７の暗証情報例２３ｕは、トグル式かな入力に従った漢字入力方式によって暗証情報を入力する第３の例であって、第１５の暗証情報例２３ｓは、キーの識別子２３ｂとして「２、１、１、４、４、４、４、１、１、×」、即ち、２キー１６ｋ、１キー１６ｊ、１キー１６ｊ、４キー１６ｎ、４キー１６ｎ、４キー１６ｎ、４キー１６ｎ、１キー１６ｊ、１キー１６ｊ、任意個の任意の操作がこの順で操作されることと、文字列２３ｃ「改定」とが暗証情報である。
【０１２０】
この第１５の暗証情報例２３ｓのキーの識別子２３ｂは、ひらがな文字「かいてい」がトグル式入力に際して所定の順で各文字を仮表示させることによって入力されたことを示す。そして、そのひらがな文字が如何なる操作によって文字列２３ｃ「改定」にかな漢字変換されたかは第１５の暗証情報例２３ｓの一部ではない。そのため、暗証情報の入力がされた際の表示部１５の表示は「改定」であることを視認されても、暗証情報が正当な使用者以外に知られる可能性を低くすることができる。
【０１２１】
第１６の暗証情報例２３ｔは、キーの識別子２３ｂとして「３、１、１、４、４、４、４、１、１、×」、即ち、３キー１６ｍ、１キー１６ｊ、１キー１６ｊ、４キー１６ｎ、４キー１６ｎ、４キー１６ｎ、４キー１６ｎ、１キー１６ｊ、１キー１６ｊ、任意個の任意の操作がこの順で操作されることと、文字列２３ｃ「裁定」とが暗証情報である。
【０１２２】
この第１６の暗証情報例２３ｔのキーの識別子２３ｂは、ひらがな文字「さいてい」がトグル式入力に際して所定の順で各文字を仮表示させることによって入力されたことを示す。そして、そのひらがな文字が如何なる操作によって文字列２３ｃ「裁定」にかな漢字変換されたかは第１６の暗証情報例２３ｔの一部ではない。そのため、暗証情報の入力がされた際の表示部１５の表示は「裁定」であることを視認されても、暗証情報が正当な使用者以外に知られる可能性を低くすることができる。
【０１２３】
第１７の暗証情報例２３ｕは、キーの識別子２３ｂとして「？、１、１、４、４、４、４、１、１、×」、即ち、任意の１個の操作、１キー１６ｊ、１キー１６ｊ、４キー１６ｎ、４キー１６ｎ、４キー１６ｎ、４キー１６ｎ、１キー１６ｊ、１キー１６ｊ、任意個の任意の操作がこの順で操作されたことが暗証情報であり、文字列２３ｃには情報が記憶されておらず、暗証情報として用いられないことを示す。
【０１２４】
この第１５の暗証情報例２３ｓのキーの識別子２３ｂは、冒頭の任意の１個の操作が「２」、即ち、２キー１６ｋの操作であれば、第１５の暗証情報例２３ｓに示した例と同一となる。また、冒頭の任意の１個の操作が「３」、即ち、３キー１６ｍの操作であれば、第１６の暗証情報例２３ｔに示した例と同一となる。即ち、暗証情報の入力がされた際の表示部１５の表示は「改定」、「裁定」に限らず、よみがな２１ｊ「かいてい」と組をなしてかな漢字変換辞書２１ｅに記憶された全ての漢字文字２１ｋ、及び、よみがな２１ｊ「さいてい」と組をなしてかな漢字変換辞書２１ｅに記憶された全ての漢字文字２１ｋのいずれかであり、その表示が視認されても、暗証情報が正当な使用者以外に知られる可能性を低くすることができる。
【０１２５】
以上説明した通り、トグル式入力方式による場合、１キー１６ｊ〜９キー１６ｓ及び０キー１６ｕのいずれかのキーの操作によって異なる文字を所定の順で表示部１５に仮表示させて入力することと、＃キー１６ｖの操作によってその順と逆の順で仮表示させて入力することとを使い分けることができる。この使い分けは、正当な使用者が意識して行っても良い。また、その使用者の習慣または癖によって使い分けられていることがあり、その場合、正当な使用者が何も意識することなく、暗証情報が正当な使用者以外に知られる可能性を低くすることができる。
【０１２６】
また、トグル式入力方式による場合、１キー１６ｊ〜９キー１６ｓ及び０キー１６ｕのいずれかのキーの操作によって所定の順で表示部１５に仮表示させて入力することと、＊キー１６ｔの操作によって、大文字と小文字（アルファベット文字の大文字、小文字に限らず、かな文字の大文字、小文字を含む。）と等を変化させることとを使い分けることができる。この使い分けは、正当な使用者が意識して行っても良い。また、その使用者の習慣または癖によって使い分けられていることがあり、その場合、正当な使用者が何も意識することなく、暗証情報が正当な使用者以外に知られる可能性を低くすることができる。
【０１２７】
また、仮表示されていた文字を確定させる操作として、ワープ中央キー１６ａ、１キー１６ｊ、３キー１６ｍ〜９キー１６ｓ及び０キー１６ｕのいずれかのキーの操作と、所定の時間に渡ってキー操作が行われないことを使い分けることができる。いずれのキーの操作によるか、または、キー操作を行わないことによるかによって、暗証情報が正当な使用者以外に知られる可能性を低くすることができる。
【０１２８】
また、かな漢字変換を含む方式による場合、かな漢字変換処理を開始する操作として、ワープ十字キー１６ｂの上向き操作及び下向き操作のうちのいずれの操作が行われるかによって、暗証情報が正当な使用者以外に知られる可能性を低くすることができる。
【０１２９】
更には、使用者は文字を暗証情報として記憶するにも関わらず、入力された文字の識別子を暗証情報の一部とはせず、その文字を入力するために操作されたキーの識別子を暗証情報とすることにより、表示部１５に表示された暗証情報２３ａの文字列２３ｃが視認されたとしても、暗証情報が正当な使用者以外に知られる可能性を低くすることができる。
【０１３０】
入力された文字の識別子を暗証情報の一部とはせず、その文字を入力するために操作されたキーの識別子を暗証情報とする例として、かな漢字変換を含む方式による場合のワープ十字キー１６ｂの上向き操作及び下向き操作によって、漢字文字の一覧でカーソル位置を１行上及び下に移動する処理がある。
【０１３１】
即ち、かな漢字変換部に学習機能がある場合、同じ回数のワープ十字キー１６ｂの上向き操作または下向き操作が行われても、入力される漢字文字は異なる可能性がある。そのため、ワープ十字キー１６ｂの上向き操作または下向き操作の識別子を暗証情報とすることにより、表示部１５に表示された暗証情報２３ａの文字列２３ｃが視認されたとしても、暗証情報が正当な使用者以外に知られる可能性を低くすることができる。
【０１３２】
以上の説明では、暗証情報２３ａのキーの識別子２３ｂに「？」が記憶されている場合、任意のキーの１個の識別子を意味し、「×」が記憶されている場合、任意のキーの任意個の識別子を意味するとした。そして、暗証情報照合部２４は、これらが記憶に対応して識別子が一致するか否かの判断をするとしたが、これに限るものではない。例えば、暗証情報照合部２４は、入力装置１６から送信されたキーの識別子が暗証情報記憶部２３に記憶されたキーの識別子２３ｂに含まれれば、これらの識別子は一致すると判断しても良い。
【０１３３】
この動作によれば、入力装置１６から送信されたキーの識別子が多い、即ち、表示部１５に表示された文字長が長い場合、その文字の一部の文字は暗証情報記憶部２３に記憶されたキーの識別子２３ｂに対応せず、表示部１５に表示された文字が視認されたとしても、暗証情報が正当な使用者以外に知られる可能性を低くすることができる。
【０１３４】
更に、所定のキーの識別子は、暗証情報２３ａのキーの識別子２３ｂに記憶されないとしても良い。この場合、暗証情報登録部２２は、入力装置１６から送信されたキーの識別子から、事前に定められた、または、入力装置１６の所定のキー操作によって定められたキーの識別子を削除して、暗証情報２３ａのキーの識別子２３ｂに格納する。そして、暗証情報照合部２４は、入力装置１６から送信されたキーの識別子から上記定められたキーの識別子を削除して、暗証情報記憶部２３に記憶されたキーの識別子２３ｂと一致するかを比較する。上記定められたキーの識別子は、暗証情報記憶部２３に記憶される。
【０１３５】
この動作によれば、入力装置１６から送信されたキーの識別子に上記定められたキーの識別子が含まれる場合、表示部１５に表示された文字を問わず、そのキーの識別子は暗証情報照合部２４の動作に影響を与えない。そのため、表示部１５に表示された文字が視認されたとしても、暗証情報が正当な使用者以外に知られる可能性を低くすることができる。
【０１３６】
このように、暗証情報照合部２４は、入力装置１６から送信されたキーの識別子と暗証情報記憶部２３に記憶されたキーの識別子２３ｂが一致するか否かを比較する際、完全な一致のみを一致と判断すると限るものではない。入力装置１６から送信されたキーの識別子として、同じ識別子が複数個連続する場合、その識別子が１個であるとみなしても良い。また、所定の識別子を変換することにより、入力装置１６から送信されたキーの識別子が異なるものである場合に、同じものとみなしても良い。
【０１３７】
以上の説明では、入力装置１６は、キーパッドを操作素子とする装置であるとしたが、これに限るものではない。タッチパッド等の、感圧式または静電式によって使用者の指などが触れたことを検出する装置であって、タッチパッドの触れられた位置の座標によっていずれの操作素子が操作されたかを検出する装置でも良い。
【０１３８】
この場合、同じ操作素子が操作されたとみなされる場合であっても、タッチパッドの触れられた位置の座標を、例えばキーの識別子２３ｂとすることによれば、同じ文字列２３ｃであっても、タッチパッドの触れられた位置の座標が異なれば、異なる暗証情報となる。そのため、表示部１５に表示された暗証情報２３ａの文字列２３ｃが視認されたとしても、暗証情報が正当な使用者以外に知られる可能性を低くすることができる。
【０１３９】
また、表示部１５に入力装置１６の図を表示し（この図は、ソフトキーボードと称されることがある。）、表示された入力装置１６のいずれのキーが選択されたかによって異なる素子が操作されたことを検出する装置でも良い。キーの選択は、例えば、ワープ十字キー１６ｂの操作によってカーソル位置を表示されたキーの中の所望のキーの位置に移し、ワープ中央キー１６ａの操作によって、カーソルが位置するキーが操作されたとする。
【０１４０】
この場合、カーソル位置を移動するためのワープ十字キー１６ｂの操作手順は、複数通りが可能であるため、表示部１５に表示された暗証情報２３ａの文字列２３ｃが視認されたとしても、暗証情報が正当な使用者以外に知られる可能性を低くすることができる。
【０１４１】
以上の説明では、暗証情報２３ａの文字列２３ｃは、冒頭の文字から順次入力されることが原則であるとしたが、これに限るものではない。例えば、文字列２３ｃは、複数の部分に分割され、それぞれの部分が入力されるための枠が表示部１５に表示されていても良い。この場合、いずれの枠から入力するかの順は、任意である。そして、文字列２３ｃの部分が入力される枠の選択は、ワープ十字キー１６ｂの操作による。この枠の選択のためのワープ十字キー１６ｂの操作を暗証情報２３ａのキーの識別子２３ｂに含ませることによって、表示部１５に表示された暗証情報２３ａの文字列２３ｃが視認されたとしても、暗証情報が正当な使用者以外に知られる可能性を低くすることができる。
【０１４２】
以上の説明では、文字入力制御部２１ａは、第１〜第７の入力方式のいずれによるかは事前に決定されているとしたが、これに限るものではない。第１〜第４の機能キー１６ｃ〜１６ｆ、ワープ十字キー１６ｂ及びワープ中央キー１６ａによって選択されるとしても良い。この入力方式選択のためのキー操作の識別子は、暗証情報２３ａのキーの識別子２３ｂに含めても良く、含めなくとも良い。
【０１４３】
以上の説明では、代表文字による入力方式と、かな漢字変換方式による入力方式の場合、全ての文字（それぞれ代表文字と、よみがな文字。）を入力した後で、英単語辞書２１ｂ、かな単語辞書２１ｃ及びかな漢字変換辞書２１ｅを参照して、単語または漢字文字に変換するとしたが、これに限るものではない。冒頭の一部の文字を入力した段階で、英単語辞書２１ｂ、かな単語辞書２１ｃ及びかな漢字変換辞書２１ｅを参照して、その一部の文字に対応する単語または漢字文字に変換する、予測変換を行っても良い。
【０１４４】
以上の説明では、かな文字として、ひらがな文字を例にとったが、これに限るものではない。表音文字であれば良く、かたかな文字であっても良い。また、かな漢字変換によって得られる漢字文字とは、漢字文字からなる文字列に限るものではない。例えば、漢字文字とかな文字とを含む文字列でも良い。数字及び／またはアルファベット文字を含んでいても良い。更には、かな文字のみからなる文字列でも良い。
【０１４５】
以上の説明では、アルファベット文字からなる文字列を英単語と称したが、この文字列は英単語に限るものではない。例えば、英語以外の言語の単語をアルファベット文字を用いて表記した単語でも良い。日本語をアルファベット文字で表記した単語でも良い。
【０１４６】
以上の説明では、数字及びアルファベット文字は、２バイト符号による文字を例に取ったが、これに限るものではない。１バイト符号による文字であっても良い。また、１バイト符号による文字と２バイト符号による文字とが混在していても良い。なお、かたかな文字についても、同様であり、１バイト符号による文字であっても良く、２バイト符号による文字であっても良い。
【０１４７】
２バイト符号による文字の入力であるか、１バイト符号による文字の入力であるは、第１〜第４の機能キー１６ｃ〜１６ｆ、ワープ十字キー１６ｂ及びワープ中央キー１６ａによって選択されるとしても良い。このいずれの符号による文字の入力であるかの選択のために操作されたキーの識別子は、暗証情報２３ａのキーの識別子２３ｂに含めても良く、含めなくとも良い。
【０１４８】
更に、以上の説明は、本発明を移動通信端末装置に適用した形態を例にとって行ったがこれに限るものではない。本発明は、暗証情報を扱うあらゆる装置に適用することが当然に可能である。本発明は以上の構成に限定されるものではなく、種々の変形が可能である。
【図面の簡単な説明】
【０１４９】
【図１】本発明の実施形態に係る移動通信端末装置の外観を示す図。
【図２】本発明の実施形態に係る入力装置の外観を示す図。
【図３】本発明の実施形態に係る移動通信端末装置の構成を示すブロック図。
【図４】本発明の実施形態に係る文字入力部の詳細な構成を示すブロック図。
【図５】本発明の実施形態に係る英単語辞書の一例を示す図。
【図６】本発明の実施形態に係るかな単語辞書の一例を示す図。
【図７】本発明の実施形態に係るかな漢字変換辞書の一例を示す図。
【図８】本発明の実施形態に係る暗証情報の一例を示す図。
【図９】本発明の実施形態に係る暗証情報照合部の動作を示すフローチャート。
【符号の説明】
【０１５０】
１１  制御部
１５  表示部
１６  入力装置
１６ａ  ワープ中央キー
１６ｂ  ワープ十字キー
１６ｃ〜１６ｆ  第１〜第４の機能キー
１６ｇ  通話キー
１６ｈ  クリアキー
１６ｉ  電源キー
１６ｊ  １キー
１６ｋ  ２キー
１６ｍ  ３キー
１６ｎ  ４キー
１６ｏ  ５キー
１６ｐ  ６キー
１６ｑ  ７キー
１６ｒ  ８キー
１６ｓ  ９キー
１６ｔ  ＊キー
１６ｕ  ０キー
１６ｖ  ＃キー
２１  文字入力部
２１ａ  文字入力制御部
２１ｂ  英単語辞書
２１ｃ  かな単語辞書
２１ｄ  ＦＥＰ部
２１ｅ  かな漢字変換辞書
２１ｆ、２１ｈ、２３ｂ  キーの識別子
２１ｇ  英単語
２１ｉ  かな単語
２１ｊ  よみがな
２１ｋ  漢字文字
２２  暗証情報登録部
２３  暗証情報記憶部
２３ａ  暗証情報
２３ｃ  文字列
２３ｄ〜２３ｕ  第１〜第１７の暗証情報例
２４  暗証情報照合部
【図１】
2007164359.tif 000003
【図２】
2007164359.tif 000004
【図３】
2007164359.tif 000005
【図４】
2007164359.tif 000006
【図５】
2007164359.tif 000007
【図６】
2007164359.tif 000008
【図７】
2007164359.tif 000009
【図８】
2007164359.tif 000010
【図９】
2007164359.tif 000011